【手続補正書】
【提出日】平成20年7月22日(2008.7.22)
【手続補正１】
【補正対象書類名】明細書
【補正対象項目名】特許請求の範囲
【補正方法】変更
【補正の内容】
【特許請求の範囲】
【請求項１】
ＭＲイメージング・システムであって、
特定された第１の撮像ボリューム（Ｒ）から画像を収集する第１のＲＦコイル素子（ＲＦ１、ＲＦ２）と、
特定された第２の撮像ボリューム（Ｌ）から画像を収集する第２のＲＦコイル素子（ＲＦ３、ＲＦ４）と、
前記第１の撮像ボリューム（Ｒ）全体にわたって磁場均一性を最適化するシム電流（６０）を設定する手段と、
第１のスペクトル−空間ＲＦパルスを用いて前記第１の撮像ボリューム（Ｒ）内の脂肪組織からの磁化（４０）を選択的に反転させる手段と、
前記第２の撮像ボリューム（Ｌ）全体にわたって磁場均一性を最適化するシム電流（６０）を設定する手段と、
第２のスペクトル−空間ＲＦパルスを用いて前記第２の撮像ボリューム（Ｌ）内の脂肪組織からの磁化（３０）を選択的に反転させる手段と、
前記第１及び第２の撮像ボリューム（Ｒ、Ｌ）の両ボリューム（Ｒ、Ｌ）内で磁化を同時に励起する手段と、
前記第１及び第２のボリューム（Ｒ、Ｌ）から同時にＭＲ信号を受け取る手段と、
前記第１の撮像ボリューム（Ｒ）からのＭＲ信号を再構成し、前記第２の撮像ボリューム（Ｌ）からのＭＲ信号を再構成する手段と、
スライス方向にＳＥＮＳＥアルゴリズムを適用する手段と、
を含むシステム。
【請求項２】
独立に規定した複数のボリュームからＭＲ撮像データを同時に収集するＭＲイメージング・システムであって、
特定された第１のサジタル・ボリューム（Ｒ）から画像を収集するＲＦコイル（ＲＦ１、ＲＦ２）と、
前記第１のサジタル・ボリューム（Ｒ）全体にわたって磁場均一性を最適化するシム電流（６０）を設定する手段と、
第１のスペクトル−空間ＲＦパルスを用いて前記第１のサジタル・ボリューム（Ｒ）内の脂肪組織からの磁化（４０）を選択的に反転させる手段と、
特定された第２のサジタル・ボリューム（Ｌ）から画像を収集するＲＦコイル（ＲＦ３、ＲＦ４）と、
前記第２のサジタル・ボリューム（Ｌ）全体にわたって磁場均一性を最適化するシム電流（６０）を設定する手段と、
第２のスペクトル−空間ＲＦパルスを用いて前記第２のサジタル・ボリューム（Ｌ）内の脂肪組織からの磁化（３０）を選択的に反転させる手段と、
前記第１及び第２のサジタル・ボリューム（Ｒ、Ｌ）の両ボリューム（Ｒ、Ｌ）内で磁化を同時に励起する手段と、
一連のアルファ・パルス（６４）を送出する手段と、
傾斜エコー（５０）を位相エンコードして収集する手段と、
前記第１及び第２のボリューム（Ｒ、Ｌ）から同時にＭＲ信号を受け取る手段と、
スライス方向のＳＥＮＳＥアルゴリズムを適用して前記ＭＲ信号を再構成する手段と、
を含み、
前記第１のサジタル・ボリューム（Ｒ）に対応する画像と前記第２のサジタル・ボリューム（Ｌ）に対応する画像が再構成される、システム。
【請求項３】
患者（１０）の高分解能サジタル・ボリュームを同時収集するＭＲイメージングシステムであって、
特定されたサジタル・ボリューム（Ｌ、Ｒ）の各々から画像を収集するＲＦコイル（ＲＦ１、ＲＦ２、ＲＦ３、ＲＦ４）と、
各サジタル・ボリューム（Ｌ、Ｒ）全体にわたって磁場均一性を最適化するシム電流（６０）を設定する手段と、
スペクトル−空間ＲＦパルスを用いて各サジタル・ボリューム（Ｌ、Ｒ）内の脂肪組織からの磁化（３０）を選択的に反転させる手段と、
前記第１及び第２のサジタル・ボリューム（Ｒ、Ｌ）の両ボリューム（Ｒ、Ｌ）内で磁化を同時に励起する手段と、
一連のアルファ・パルス（６４）を送出する手段と、
傾斜エコー（５０）を位相エンコードして収集する手段と、
前記第１及び第２のボリューム（Ｒ、Ｌ）から同時にＭＲ信号を受け取る手段と、
スライス方向のＳＥＮＳＥアルゴリズムを適用して前記ＭＲ信号を再構成する手段と、
を含み、
各サジタル・ボリュームに対応する画像が再構成される、システム。
【請求項４】
前記パルスシーケンス（６４）の開始前に前記シム電流（６０）が設定され、前記磁場均一性がスペクトル−空間ＲＦパルスの影響を受ける、請求項２または３に記載のシステム。
【請求項５】
前記シム設定（６０）は、脂肪組織の共鳴周波数が確実に反転パルスの帯域幅に限定されるように磁場均一性を最適化するように適用されている、請求項１−４のいずれかに記載のシステム。
【請求項６】
前記サジタル・ボリュームが乳房ボリューム（Ｌ、Ｒ）、頚動脈、肩関節、股関節、顎関節、分離した検体あるいは任意の臨床タイプの複数の標本である、請求項６に記載のシステム。
【請求項７】
乳房ボリューム（Ｌ、Ｒ）、頚動脈、肩関節、股関節、顎関節、分離した検体、任意の臨床タイプの複数の標本を含むことがあるような２つのサジタル・ボリュームに対して同時に実施されている患者（１０）からのＭＲ撮像データ収集のためのＭＲイメージング・システムであって、
第１のスペクトル−空間ＲＦパルスで第１の撮像ボリューム（Ｒ）内の脂肪組織からの磁化（４０）を選択的に反転させる、前記第１のサジタル・ボリューム（Ｒ）から画像を収集するＲＦコイル（ＲＦ１、ＲＦ２）と、
前記第１のサジタル・ボリューム（Ｒ）全体にわたって磁場均一性を最適化するシム電流（６０）を設定する手段と、
第２のスペクトル−空間ＲＦパルスで第２の撮像ボリューム（Ｌ）内の脂肪組織からの磁化（４０）を選択的に反転させる、前記第２のサジタル・ボリューム（Ｌ）から画像を収集するＲＦコイル（ＲＦ３、ＲＦ４）と、
一連のアルファ・パルス（６４）を用いて、前記第１及び第２のサジタル・ボリューム（Ｒ、Ｌ）の両ボリューム（Ｒ、Ｌ）内で磁化を同時に励起する手段と、
第１ボリューム用コイル（ＲＦ１、ＲＦ２）が第１のボリューム（Ｒ）のみから信号を受け取り、かつ第２ボリューム用コイル（ＲＦ３、ＲＦ４）が第２のボリューム（Ｌ）のみから信号を受け取るように前記ＲＦコイルを十分にデカップリングさせる手段と、
前記第１及び第２のボリューム（Ｒ、Ｌ）から同時にＭＲ信号を受け取る手段と、
前記ＭＲ信号を再構成する手段と、
前記第１のサジタル・ボリューム（Ｒ）のみに対応する画像と前記第２のサジタル・ボリューム（Ｌ）のみに対応する画像が再構成される、システム。
【請求項８】
乳房ボリューム（Ｌ、Ｒ）、頚動脈、肩関節、股関節、顎関節、分離した検体、任意の臨床タイプの複数の標本を含むことがあるような２つのサジタル・ボリュームに対して同時に実施されている患者（１０）からのＭＲ撮像データ収集のためのＭＲイメージング・システムであって、
特定された第１のサジタル・ボリューム（Ｒ）から画像を収集する１つまたは複数のＲＦコイル素子（ＲＦ１、ＲＦ２）と、
第１のスペクトル−空間ＲＦパルスで磁化された第１の撮像ボリューム（Ｒ）内の脂肪組織に対して反転した第２のサジタル・ボリューム（Ｒ）から画像を収集する１つまたは複数のＲＦコイル素子（ＲＦ１、ＲＦ２）と、
前記第１のサジタル・ボリューム（Ｒ）全体にわたって磁場均一性を最適化するシム電流（６０）を設定する手段と、
第２のスペクトル−空間ＲＦパルス（６２）を用いて第２のサジタル・ボリューム（Ｌ）内の脂肪組織からの磁化を選択的に反転させる手段と、
前記第２の撮像ボリューム（Ｌ）全体にわたって磁場均一性を最適化するシム電流（６０）を設定する手段と、
一連のアルファ・パルス（６４）を用いて、前記第１及び第２のサジタル・ボリューム（Ｒ、Ｌ）の両ボリューム（Ｒ、Ｌ）内で磁化を同時に励起する手段と、
脂肪組織の縦磁化（３０、４０）を回復させる手段と、
第１ボリューム用素子（ＲＦ１、ＲＦ２）が第１のボリューム（Ｒ）のみから信号を受け取り、かつ第２ボリューム用素子（ＲＦ３、ＲＦ４）が第２のボリューム（Ｌ）のみから信号を受け取るように前記ＲＦコイルを十分にデカップリングさせる手段と、
ＭＲ信号を再構成する手段と、を含むと共に、
第１のボリューム（Ｒ）だけに対応した画像と第２のボリューム（Ｌ）だけに対応した画像とを再構成するシステム。